(57)【特許請求の範囲】
【請求項１】
ホルダケースと、
このホルダケースに着脱自在に支持され、二つの粘着テープを別個に回転自在に保持して各粘着テープを必要長さだけ繰出し可能にするテープホルダと、
前記各粘着テープ毎に設けられ、前記粘着テープの繰出し方向に対して上下方向に段違いに設けられている二つの切断刃と、
を備える粘着テープ繰出し装置。
【請求項２】
ホルダケースと、
このホルダケースに支持され、粘着テープを回転自在に保持して前記粘着テープを必要長さだけ繰出し可能にするテープホルダと、
前記テープホルダに保持されている前記粘着テープを必要長さだけ繰出した後、切断するための切断刃と、
前記テープホルダと前記ホルダケースとに設けられ、前記粘着テープの繰出しに伴う前記テープホルダの前記粘着テープの繰出し方向への動きを規制する規制手段と、
を備える粘着テープ繰出し装置。
【請求項３】
前記切断刃は前記テープホルダに一体に設けられており、前記テープホルダは回動動作を伴うことにより前記ホルダケースに対して着脱自在である請求項２記載の粘着テープ繰出し装置。
【請求項４】
前記規制手段は、前記テープホルダに設けられた固定爪と、前記ホルダケースに設けられた固定爪切欠とからなる請求項２記載の粘着テープ繰出し装置。
【請求項５】
前記固定爪は、粘着テープの繰出し回転方向に折り曲げて形成されている請求項４記載の粘着テープ繰出し装置。
【発明の詳細な説明】
【０００１】
【発明の属する技術分野】
本発明は、粘着テープを回転自在に保持し、その粘着テープを必要長さだけ繰り出して切断することができる粘着テープ繰出し装置に関する。
【０００２】
【従来の技術】
従来より、リング状の部材に巻回された粘着テープを回転自在に支持するとともに、これを所定の長さ毎にカットすることのできる切断刃を備えた机上設置用の粘着テープ繰出し装置である粘着テープディスペンサが知られている。この粘着テープディスペンサは、リング状の粘着テープを保持するテープ保持部とこのテープ保持部を回転自在に支持する台座部とを備え、テープ保持部に保持された粘着テープの回転中心から所定距離だけ離れた位置に切断刃を配置している。この切断刃は、台座部の端部に起立して設けられている。
【０００３】
ところで、このような粘着テープディスペンサは、スーパーマーケットやコンビニエンスストア等のレジ周りやチェックアウトカウンタ等においても多く利用されている。そして、スーパーマーケットやコンビニエンスストア等においては、一般的な粘着テープである透明なセロハンの片面に粘着剤が塗布されたセロハンテープの他、店名が印刷されている特殊な粘着テープが使用されている。このような店名が印刷されている特殊な粘着テープは、不正に店外に持ち出した商品と適正に販売された商品とを区別するために、レジを通過した印として商品に貼り付けて使用される場合が多い。
【０００４】
したがって、スーパーマーケットやコンビニエンスストア等のレジ周りやチェックアウトカウンタにおいては、セロハンテープを保持した粘着テープディスペンサと、店名が印刷されている特殊な粘着テープを保持した粘着テープディスペンサとが並べて置かれることが多くなっている。
【０００５】
しかしながら、スーパーマーケットやコンビニエンスストア等のレジ周りやチェックアウトカウンタはスペースが限られており、二つの粘着テープディスペンサを並べて置いた場合には、スペースがなくなってしまい他の物をレジ周りやチェックアウトカウンタに置けなくなる等の不都合が生じていた。
【０００６】
そこで、近年においては、二つの粘着テープを同時に保持し、各粘着テープを個別に繰り出して使用することが可能な粘着テープディスペンサが考えられている。ここで、図８は従来の二つの粘着テープを同時に保持し、各粘着テープを個別に繰り出して使用することが可能な粘着テープディスペンサ１００を示す分解斜視図である。図８に示すように、粘着テープディスペンサ１００は、粘着テープ１０１を回転自在に保持するとともに、切断刃１０７を一体に備えた二つのカセット式のテープホルダ１０２，１０３を有している。そして、これらのテープホルダ１０２，１０３の両側面に固定用溝１０４を形成するとともに、この固定用溝１０４に嵌合するレール１０５をホルダケース１０６に設けることにより、テープホルダ１０２，１０３の固定用溝１０４をホルダケース１０６のレール１０５に滑り込ませることで、ホルダケース１０６にテープホルダ１０２，１０３を固定することが可能になっている。これにより、二つのテープホルダ１０２，１０３は、ホルダケース１０６に並列の位置関係で固定されることになる。
【０００７】
【発明が解決しようとする課題】
ところで、スーパーマーケットやコンビニエンスストア等においてはレジをクローズする際には、店名が印刷されている特殊な粘着テープの盗難を防止するために、粘着テープディスペンサから店名が印刷されている特殊な粘着テープを取り外して事務所等に引き揚げるようにしている。これは、店名が印刷されている特殊な粘着テープが盗難されることによって、不正に使用されるのを防止するためである。
【０００８】
しかしながら、従来の粘着テープディスペンサ１００では、二つのテープホルダ１０２，１０３は前後方向に動かさなければ取り外すことができず、その前後方向の動作エリアが長いことから、限られたスペースでは取り外す際の作業性に問題があった。
【０００９】
また、テープホルダ１０２，１０３の固定用溝１０４をホルダケース１０６のレール１０５に滑り込ませて装着する際には後ろから前へと引っ張ることになるが、このように後ろから前へと引っ張って固定用溝１０４をレール１０５に滑り込ませる動作は、固定用溝１０４を水平に保たねばならないために容易ではない。
【００１０】
さらに、従来の粘着テープディスペンサ１００では、二つのテープホルダ１０２，１０３が並列に設けられているために、右側の粘着テープは右手で扱い、左側の粘着テープは左手で扱うことになり、不便である。
【００１１】
本発明の目的は、二つの粘着テープのいずれについても片手のみで扱うことができ、作業効率を向上させることができる粘着テープ繰出し装置を提供することである。
【００１２】
本発明の目的は、テープホルダをホルダケースから取り外す際の操作を容易にすることができる粘着テープ繰出し装置を提供することである。
【００１３】
本発明の目的は、テープホルダに対して粘着テープの繰り出しに伴う外力や粘着テープの切断に伴う外力が加わった場合であっても、テープホルダがホルダケースから外れることを防止することができる粘着テープ繰出し装置を提供することである。
【００１６】
【課題を解決するための手段】
請求項１記載の発明は、ホルダケースと、このホルダケースに着脱自在に支持され、二つの粘着テープを別個に回転自在に保持して各粘着テープを必要長さだけ繰出し可能にするテープホルダと、前記各粘着テープ毎に設けられ、前記粘着テープの繰出し方向に対して上下方向に段違いに設けられている二つの切断刃と、を備える。
【００１７】
したがって、一方の粘着テープに邪魔されることなく他方の粘着テープを扱うことが可能になる。これにより、いずれの粘着テープについても片手のみで扱うことが可能になるので、作業効率を向上させることが可能になる。
請求項２記載の発明は、ホルダケースと、このホルダケースに支持され、粘着テープを回転自在に保持して前記粘着テープを必要長さだけ繰出し可能にするテープホルダと、前記テープホルダに保持されている前記粘着テープを必要長さだけ繰出した後、切断するための切断刃と、前記テープホルダと前記ホルダケースとに設けられ、前記粘着テープの繰出しに伴う前記テープホルダの前記粘着テープの繰出し方向への動きを規制する規制手段と、を備える。
したがって、テープホルダに対して粘着テープの繰り出しに伴う外力や粘着テープの切断に伴う外力が加わった場合であっても、テープホルダの粘着テープの繰り出し方向への動きが規制されるので、テープホルダがホルダケースから外れることを防止することが可能になる。
【００１８】
請求項３記載の発明は、請求項２記載の粘着テープ繰出し装置において、前記各切断刃は前記テープホルダに一体に設けられており、前記テープホルダは回動動作を伴うことにより前記ホルダケースに対して着脱自在である。
【００１９】
したがって、テープホルダを回動させるだけでホルダケースから取り外すことが可能になることにより、テープホルダを取り外す際に特別な作業スペースは不要であり、かつ、切断刃がテープホルダに一体に設けられていることにより、テープホルダを取り外す際に粘着テープを切断刃から剥がす手間も省けるので、テープホルダをホルダケースから取り外す際の操作が容易になる。
【００２０】
請求項４記載の発明は、請求項２記載の粘着テープ繰出し装置において、前記規制手段は、前記テープホルダに設けられた固定爪と、前記ホルダケースに設けられた固定爪切欠とからなる。
【００２２】
請求項５記載の発明は、請求項４記載の粘着テープ繰出し装置において、前記固定爪は、粘着テープの繰出し回転方向に折り曲げて形成されている。
【００２４】
【発明の実施の形態】
本発明の実施の一形態を図１ないし図７に基づいて説明する。ここで、図１は粘着テープディスペンサ１を示す外観斜視図、図２はその分解斜視図である。図１及び図２に示すように、机上設置用の粘着テープ繰出し装置である粘着テープディスペンサ１は、大別すると、リング状の部材ｒに巻回された二つの粘着テープＴ１及びＴ２をそれぞれ回転自在に保持するテープホルダ２と、このテープホルダ２を着脱自在に収納するホルダケース３とにより構成されている。
【００２５】
まず、テープホルダ２について説明する。ここで、図３はテープホルダ２を示し、（ａ）はテープ繰り出し方向に対する左側面図、（ｂ）は正面図、（ｃ）は右側面図である。図３に示すように、テープホルダ２の中央部に位置する中心壁２ａの左右両側には、粘着テープＴ１，Ｔ２を装着するためのテープ保持部４がそれぞれ形成されている。これらのテープ保持部４は、約３／４円弧形状に突出形成されており、その直径は粘着テープＴ１，Ｔ２のリング状の部材ｒの直径に比べて若干小径に形成されている。これらのテープ保持部４の中心壁２ａからの高さは、粘着テープＴ１，Ｔ２の幅よりも長く形成されている。なお、中心壁２ａのテープ保持部４の内側は、Ｄ形状の開口部２ｂとされている。
【００２６】
また、テープ保持部４の外周の一部には、粘着テープＴ１，Ｔ２のテープ保持部４における横ズレを防止するためのストッパ５が突設されている。つまり、このようにストッパ５が設けられているため、そのままではリング状の部材ｒの直径に比べて若干小径に形成されているテープ保持部４への粘着テープＴ１，Ｔ２の装着が困難になることから、粘着テープＴ１，Ｔ２の装着時にテープ保持部４が弾性的に変形するようにテープ保持部４を約３／４円弧形状に形成している。
【００２７】
以上のような構成により、粘着テープＴ１，Ｔ２のリング状の部材ｒが装着されるテープ保持部４が粘着テープＴ１，Ｔ２を回転自在に保持することが可能になっている。
【００２８】
また、テープホルダ２の中心壁２ａの左右両側には、粘着テープＴ１をカットするための切断刃６を上方に向けて備えた切断部７と、粘着テープＴ２をカットするための切断刃８を上方に向けて備えた切断部９とが、図３（ｂ）に示すように切断刃６と切断刃８との高さを違えて階段状に設けられている。本実施の形態においては、切断刃６を下段に設け、切断刃８を上段に設けるようにしている。これは、詳細は後述するが、右利きの使用者に対応するものである。これらの切断部７と切断部９とには、それぞれ指を挿入するための凹部１０及び１１が形成されている。これは、粘着テープＴ１，Ｔ２をカットする際に粘着テープＴ１，Ｔ２を容易につかむことができるようにするためである。
【００２９】
つまり、本実施の形態のテープホルダ２は、粘着テープＴ１，Ｔ２を保持するテープ保持部４と、切断刃６，８とが、一体に設けられているカセット方式になっている。
【００３０】
さらに、テープ保持部４と切断部７との間には、ローラ１２が回動自在に設けられており、その設置位置は切断刃６と略同一な高さとされており、切断刃６とローラ１２とは略水平に位置するものとされている。また、テープ保持部４と切断部９との間には、ローラ１３が回動自在に設けられており、その設置位置は切断刃８と略同一な高さとされており、切断刃８とローラ１３とは略水平に位置するものとされている。これらのローラ１２，１３は金属製であってその表面には凹凸が形成されており、ローラ１２，１３に粘着テープＴ１，Ｔ２が貼りついても剥がしやすい構造とされている。これにより、粘着テープＴ１，Ｔ２を切断部７，９でカットする際において、ローラ１２，１３を支軸として充分なテンションを得ることができ、切断刃６，８による切断が容易になる。
【００３１】
加えて、テープホルダ２の下方には、曲面形状の外周面２ｃが形成されている。この外周面２ｃは、テープ保持部４の中心と同一であってテープ保持部４とほぼ同様な約３／４円弧形状に突出形成されており、その直径は粘着テープＴ１，Ｔ２の直径に比べて大径に形成されている。なお、テープホルダ２の下方は、外周面２ｃにより略円筒形状に形成されているが、粘着テープＴ１，Ｔ２をテープ保持部４に装着し易くするために、テープ保持部４の開放部分４ａに対向する位置には凹部２ｄが形成されている。
【００３２】
このようなテープホルダ２の外周面２ｃには、後述するホルダケース３に形成される固定用切欠２０（図４参照）に嵌入される固定爪１４と、固定用切欠２１（図４参照）に嵌入される固定爪１５とが設けられている。これらの固定爪１４，１５の先端部は、粘着テープＴ１，Ｔ２の繰り出し回転方向に向けて折り曲げられている。
【００３３】
さらに、テープホルダ２の外周面２ｃには、図３（ｂ）に示すように、三方を切り込みに囲まれることにより弾性を有する弾性片１６が形成されており、その弾性片１６の上には回転防止爪１７が設けられている。この回転防止爪１７は、後述するホルダケース３に形成される回転防止用切欠２２（図４参照）に弾発的に嵌入される。
【００３４】
続いて、ホルダケース３について説明する。ここで、図４はホルダケース３を上方から見た状態を示す平面図、図５はその縦断斜視図である。図４及び図５に示すように、ホルダケース３には、テープホルダ２を落とし込んで回転させて収納するためのテープホルダ収納部１８と、ペン立て１９とが形成されている。テープホルダ収納部１８の底部１８ａは、Ｒ形状に形成されており、テープホルダ２を回動自在に保持することが可能になっている。このようなテープホルダ収納部１８の底部１８ａには、前述したテープホルダ２の外周面２ｃに設けられている固定爪１４を嵌入係止し得る固定用切欠２０と、固定爪１５を嵌入係止し得る固定用切欠２１とが穿設されている。これらの固定用切欠２０と固定用切欠２１とは、テープホルダ２をテープホルダ収納部１８に落とし込んで回転させる際に、固定爪１４、１５とテープホルダ収納部１８の底部１８ａとの干渉を逃す大きさとされている。加えて、テープホルダ収納部１８の底部１８ａには、テープホルダ２の外周面２ｃに形成されている回転防止爪１７を弾発的に嵌入し得る回転防止用切欠２２が穿設されている。
【００３５】
このような構成の下、ホルダケース３のテープホルダ収納部１８に対するテープホルダ２の取付手法について以下に説明する。ここで、図６はテープホルダ２をホルダケース３のテープホルダ収納部１８に取り付ける状態を示す説明図である。なお、図６においては、粘着テープＴ１，Ｔ２は図示していない。図６に示すように、テープホルダ２のローラ１３付近を上方に位置させた状態で把持してテープホルダ収納部１８に落とし込むと（図６に示す方向▲１▼）、テープホルダ２の外周面２ｃの固定爪１４はホルダケース３に形成される固定用切欠２０に嵌入され、テープホルダ２の外周面２ｃの固定爪１５はホルダケース３に形成される固定用切欠２１に嵌入される。その後、テープホルダ収納部１８に落とし込んだ状態のテープホルダ２を図６に示す方向▲２▼に向けて回転させると、テープホルダ２はテープホルダ収納部１８の底部１８ａの形状に沿って回転されることになり、固定爪１４は固定用切欠２０内を進行し、固定爪１５は固定用切欠２１内を進行する。そして、テープホルダ２の外周面２ｃに形成されている回転防止爪１７が回転防止用切欠２２に弾発的に嵌入した時点で、固定爪１４は固定用切欠２０の端部に達し、固定爪１５は固定用切欠２１の端部に達することになる。この状態においては、粘着テープＴ１，Ｔ２の繰り出し方向Ａや粘着テープＴ１，Ｔ２の切断方向Ｂの力がテープホルダ２に加わっても、粘着テープＴ１，Ｔ２の繰り出し回転方向に向けて折り曲げられている固定爪１４が固定用切欠２０の端部に嵌合している状態であり、テープホルダ２がホルダケース３のテープホルダ収納部１８から外れることはない。つまり、固定爪１４と固定用切欠２０とによって規制手段が構成されており、テープホルダ２に対して粘着テープＴ１，Ｔ２の繰り出しに伴う外力や粘着テープＴ１，Ｔ２の切断に伴う外力が加わった場合であっても、テープホルダ２の粘着テープＴ１，Ｔ２の繰り出し方向への動きが規制されるので、テープホルダ２がホルダケース３から外れることを防止することが可能になっている。
【００３６】
また、粘着テープＴ１，Ｔ２を切断するためにテープホルダ２から引き出す際には上方へ一時的に粘着テープＴ１，Ｔ２を繰り出すことになるが、回転防止爪１７が回転防止用切欠２２に弾発的に嵌入していることにより、その粘着テープＴ１，Ｔ２の上方への繰り出しに伴う外力が加わった場合にもテープホルダ２の上方への動きが規制されるので、テープホルダ２がホルダケース３から外れることを防止することが可能になっている。さらに、回転防止爪１７が回転防止用切欠２２に弾発的に嵌入していることにより、固定爪１４と固定用切欠２０とがきっちりと嵌り合うことになる。
【００３７】
一方、テープホルダ２をホルダケース３のテープホルダ収納部１８から取り外す場合には、テープホルダ２のローラ１３付近を把持して図６に示す方向▲３▼に向けてテープホルダ２を浮かせぎみに回転させると、テープホルダ２の回転防止爪１７とホルダケース３の回転防止用切欠２２との嵌合が解除され、回転が可能な状態となり、テープホルダ２をホルダケース３のテープホルダ収納部１８から取り外すことができる。
【００３８】
したがって、テープホルダ２を回動させるだけでホルダケース３から取り外すことが可能になることにより、テープホルダ２を取り外す際に特別な作業スペースは不要であり、かつ、切断刃６，８がテープホルダ２に一体に設けられていることにより、テープホルダ２を取り外す際に粘着テープＴ１，Ｔ２を切断刃６，８から剥がす手間も省けるので、テープホルダ２をホルダケース３から取り外す際の操作が容易になっている。
【００３９】
ここで、図７は粘着テープＴ１，Ｔ２を装着した状態の粘着テープディスペンサ１を示す外観斜視図である。図７に示すように、粘着テープディスペンサ１は、切断部７の切断刃６を下段に設け、切断部９の切断刃８を上段に設けている。そして、使用者が右利きであることを条件として、粘着テープＴ１を使用したい場合には切断部７の凹部１０に右手の指を挿入して粘着テープＴ１の先端部を引っ張ることによって、粘着テープＴ１のリング状の部材ｒをテープ保持部４の周りで回転させながら、徐々に引き出すことが出来る。そして、粘着テープＴ１が所定の長さに達したら切断刃６に押し付けることによって、粘着テープＴ１を切断することが出来る。
【００４０】
また、粘着テープＴ２を使用したい場合には切断部９の凹部１１に右手の指を挿入して粘着テープＴ２の先端部を引っ張ることによって、粘着テープＴ２のリング状の部材ｒをテープ保持部４の周りで回転させながら、徐々に引き出すことが出来る。そして、粘着テープＴ２が所定の長さに達したら切断刃８に押し付けることによって、粘着テープＴ２を切断することが出来る。
【００４１】
つまり、粘着テープディスペンサ１によれば、一方の粘着テープに邪魔されることなく他方の粘着テープを扱うことが可能になることにより、いずれの粘着テープＴ１，Ｔ２についても右手のみで扱うことができるので、作業効率を向上させることが可能になっている。
【００４２】
なお、本実施の形態の粘着テープディスペンサ１においては、切断部７の切断刃６を下段に設け、切断部９の切断刃８を上段に設けるようにしたが、これに限るものではなく、使用者が左利きである場合には、切断部７の切断刃６を上段に設け、切断部９の切断刃８を下段に設けるようにしても良い。また、上下方向に限らず、粘着テープＴ１，Ｔ２の繰り出し方向Ａに対して前後方向であっても良いし、上下方向と前後方向とを組み合わせても良く、いずれにしても、一方の粘着テープに邪魔されることなく他方の粘着テープを扱うことができれば良い。
【００４４】
【発明の効果】
請求項１記載の発明によれば、ホルダケースと、このホルダケースに着脱自在に支持され、二つの粘着テープを別個に回転自在に保持して各粘着テープを必要長さだけ繰出し可能にするテープホルダと、前記各粘着テープ毎に設けられ、前記粘着テープの繰出し方向に対して上下方向に段違いに設けられている二つの切断刃と、を備えることにより、一方の粘着テープに邪魔されることなく他方の粘着テープを扱うことができ、いずれの粘着テープについても片手のみで扱うことができるので、作業効率を向上させることができる。
請求項２記載の発明は、ホルダケースと、このホルダケースに支持され、粘着テープを回転自在に保持して前記粘着テープを必要長さだけ繰出し可能にするテープホルダと、前記テープホルダに保持されている前記粘着テープを必要長さだけ繰出した後、切断するための切断刃と、前記テープホルダと前記ホルダケースとに設けられ、前記粘着テープの繰出しに伴う前記テープホルダの前記粘着テープの繰出し方向への動きを規制する規制手段と、を備えることにより、テープホルダに対して粘着テープの繰り出しに伴う外力や粘着テープの切断に伴う外力が加わった場合であっても、テープホルダの粘着テープの繰り出し方向への動きが規制されるので、テープホルダがホルダケースから外れることを防止することが可能になる。
【００４５】
請求項３記載の発明によれば、請求項２記載の粘着テープ繰出し装置において、前記各切断刃は前記テープホルダに一体に設けられており、前記テープホルダは回動動作を伴うことにより前記ホルダケースに対して着脱自在であることにより、テープホルダを回動させるだけでホルダケースから取り外すことができることから、テープホルダを取り外す際に特別な作業スペースは不要であり、かつ、切断刃がテープホルダに一体に設けられていることから、テープホルダを取り外す際に粘着テープを切断刃から剥がす手間も省けるので、テープホルダをホルダケースから取り外す際の操作を容易にすることができる。
【図面の簡単な説明】
【図１】本発明の実施の一形態の粘着テープディスペンサを示す外観斜視図である。
【図２】その分解斜視図である。
【図３】テープホルダを示し、（ａ）はテープ繰り出し方向に対する左側面図、（ｂ）は正面図、（ｃ）は右側面図である。
【図４】ホルダケースを上方から見た状態を示す平面図である。
【図５】その縦断斜視図である。
【図６】テープホルダをホルダケースのテープホルダ収納部に取り付ける状態を示す説明図である。
【図７】粘着テープを装着した状態の粘着テープディスペンサを示す外観斜視図である。
【図８】従来の粘着テープディスペンサを示す分解斜視図である。
【符号の説明】
１      粘着テープ繰出し装置
２      テープホルダ
３      ホルダケース
６，８        切断刃
１４，２０    規制手段
Ｔ１，Ｔ２    粘着テープ
【図１】
0003753303.tif 000002
【図２】
0003753303.tif 000003
【図３】
0003753303.tif 000004
【図４】
0003753303.tif 000005
【図５】
0003753303.tif 000006
【図６】
0003753303.tif 000007
【図７】
0003753303.tif 000008
【図８】
0003753303.tif 000009